(57)【要約】【課題】表示画面に表示された画像自体を判断することなく、簡単な構成により表示画面内の情報を得ることが可能なデータ収録装置を提供する。【解決手段】ディスプレイの表示画面上で、表示画面検出手段により検出対象となる画素を指定する。そして、表示画面指定手段により指定された検出対象となる画素の輝度信号を連続して抽出し、この輝度信号が、所定の設定範囲内に有るか否かを判断する。所定の設定範囲内にないと判定されたときに、アラーム等の信号を発生し、必要により画像データ及び／又は測定データを再生する。【選択図】図１
2010147914.tif 000002
【特許請求の範囲】
【請求項１】
測定データを、アナログデータからディジタルデータに変換して入力する測定データ入力インターフェースと、
画像データを入力する画像データ入力インターフェースと、
画素により構成される表示画面に画像データを表示するディスプレイ装置と、
前記測定データを出力するプリンタと、
前記画像データ入力インターフェースから入力された画像データを前記表示画面に表示することを制御する制御手段と、
ユーザインターフェースからの入力に基づいて、前記制御手段の制御により、前記表示画面にある検出対象となる画素を指定する表示画面指定手段と、
前記表示画面指定手段により指定された検出対象となる画素の輝度信号を連続して抽出する信号処理手段と、
前記画像データ、前記輝度信号、及び、前記測定データを時系列に記憶する記憶手段と、
前記輝度信号の値が、輝度信号の所定の設定範囲を超えているか否か判定する判定手段と、
前記判定手段による判定結果に基づいて信号を発生する信号発生手段と、
を有することを特徴とするデータ収録装置。
【請求項２】
前記信号発生手段により発生する信号は、アラーム信号であることを特徴とする請求項１記載のデータ収録装置。
【請求項３】
前記判定手段による判定結果に基づいて、前記輝度信号の値が、輝度信号の所定の設定範囲を超える時刻の画像データを前記表示画面に出力し、前記輝度信号の値が、輝度信号の所定の設定範囲を超える時刻の測定データを前記表示画面及び／又は前記プリンタに出力することを特徴とする請求項１又は２記載のデータ収録装置。
【発明の詳細な説明】
【技術分野】
【０００１】
本発明は、データ収録装置、特に、画像データに基づく状態監視機能を備えるデータ収録装置に関する。
【背景技術】
【０００２】
従来のデータ収録装置を用いて、対象の画像データと対象の物理的な性質に関するデータとを収集することにより、対象の状態を監視することが行われていた。しかしながら、画像自体を認識することにより、対象の情報を取得するために、装置の構成が複雑となり、装置が高価になるという問題を有していた。また、従来のデータ収録装置では、対象の性質に応じて必要な情報を収集することが難しく、用途を拡大することが困難であった。
【０００３】
例えば、テレビカメラを用いた火災監視装置では、画像のＲＧＢ信号成分及び輝度信号成分から炎の形状と温度を求め、火災を監視することが行われている（特許文献１を参照）。
【０００４】
【特許文献１】特開平５−２０５６１号公報
【特許文献２】特開２００４−２８２２９８号公報
【発明の開示】
【発明が解決しようとする課題】
【０００５】
しかしながら、特許文献１に記載される火災監視装置では、装置の構成が複雑となり、火災以外の情報収集に対応することが困難であった。このため、特許文献１に記載される火災監視装置と従来のデータ収録装置を組み合わせても、データ収録装置の構成が複雑となり、対象の性質に応じて必要な情報を収集することが難しく、用途を拡大することが困難であった。
【０００６】
本発明は、簡単な構成により、画面に表示された画像から測定対象の状態の変化を検知し、測定対象の状態の変化が生じた時刻の画像データと測定データを再生することが可能なデータ収録装置を提供することを目的とする。
【課題を解決するための手段】
【０００７】
上記目的を達成するために、本発明のデータ収録装置は、測定データを、アナログデータからディジタルデータに変換して入力する測定データ入力インターフェースと、画像データを入力する画像データ入力インターフェースと、画素により構成される表示画面に画像データを表示するディスプレイ装置と、前記測定データを出力するプリンタと、前記画像データ入力インターフェースから入力された画像データを前記表示画面に表示することを制御する制御手段と、ユーザインターフェースからの入力に基づいて、前記制御手段の制御により、前記表示画面にある検出対象となる画素を指定する表示画面指定手段と、前記表示画面指定手段により指定された検出対象となる画素の輝度信号を連続して抽出する信号処理手段と、前記画像データ、前記輝度信号、及び、前記測定データを時系列に記憶する記憶手段と、前記輝度信号の値が、輝度信号の所定の設定範囲を超えているか否か判定する判定手段と、前記判定手段による判定結果に基づいて信号を発生する信号発生手段と、を有する。
【発明の効果】
【０００８】
本発明によれば、表示画面に表される画像自体を判断することなく、表示画面内の画素を指定し、画素の輝度信号の強度を検出することにより表示画面内の情報を取得することが可能なデータ収録装置を提供することができる。
【０００９】
また、本発明によれば、表示画面内の画素の輝度信号に基づいて、表示画面内の情報を取得することができるので、画像の表示内容、画像の信号形式、赤外撮像、可視撮像に限られることなく、広い用途で使用することが可能なデータ収録装置を提供することができる。
【００１０】
更に、本発明によれば、簡単な構成により、画面に表示された画像から測定対象の状態の変化を検知し、信号を発生することにより測定者に知らせるとともに、測定対象の状態の変化が生じた時刻の画像データと測定データを記憶し、必要に応じて画像データと測定データを再生することが可能なデータ収録装置を提供することができる。
【発明を実施するための最良の形態】
【００１１】
図１は、本発明の実施形態に係るデータ収録装置の概念図であり、図２は、本発明の実施形態に係るデータ収録装置の具体的な構成を示すブロック図である。以下、図１及び図２に基づいて、本発明の実施形態に係るデータ収録装置について説明する。なお、同一の構成要素については、同一の参照符号を付して説明を省略する。
【００１２】
図１に示されるように、本発明の実施形態に係るデータ収録装置１は、電圧、歪量等の物理量に関する測定データをアナログデータからディジタルデータに変換して入力する測定データ入力インターフェース２と、画像データを入力する画像データ入力インターフェース３と、画素により構成される表示画面５に画像データを表示するディスプレイ装置６と、画像データ入力インターフェースから入力された画像データを表示画面に表示することを制御する制御手段８とを有する。
【００１３】
ここで、画像データは、例えば、アナログテレビ方式として知られているＮＴＳＣ方式で処理されるデータである。測定データがディジタルデータの場合には、アナログデータからディジタルデータに変換する必要はなく、測定データをディジタルデータの形式で測定データ入力インターフェース２から入力すれば良い。また、測定データを画像データに変換して、画像データ入力インターフェース３を介して、表示画面５に表示しても良い。
【００１４】
また、本発明の実施形態に係るデータ収録装置１は、ユーザインターフェース１０からの入力に基づいて、制御手段８の制御により、表示画面５にある検出対象となる画素を指定する表示画面指定手段１１と、表示画面指定手段１１により指定された検出対象となる画素の輝度信号の最大値、最小値、及び／又は、平均値等を含む輝度信号の情報を連続して抽出する信号処理手段１２とを有している。
【００１５】
さらに、本発明の実施形態に係るデータ収録装置１は、画像データ、輝度信号、及び測定データを時系列に記憶する記憶手段１３と、輝度信号の情報が、輝度信号の所定の設定範囲を超えているか否か判定する判定手段１４と、判定手段１４による判定結果に基づいて信号を発生する信号発生手段１５と、測定データを出力するプリンタ１９とを有している。
【００１６】
図２は、本発明の実施形態例に係るデータ収録装置の具体的な構成を示すブロック図である。本実施形態例のデータ収録装置１は、電圧、歪量などの物理量を計測するセンサ２３で検出された電圧、歪量などの物理量を電気信号として入力し、増幅する増幅器（アンプ）２４と、物理量と対応するアナログ電気信号をデジタル電気信号に変換するＡ／Ｄコンバータ２５とを有する。
【００１７】
また、本実施形態例のデータ収録装置１は、赤外画像カメラ２７、可視画像カメラ２８によって撮像された画像データを直接、又はＵＳＢメモリ、ＬＡＮネットワーク等を介して入力する画像データ入力インターフェース（Ｉ／Ｆ）３を有している。
【００１８】
本実施形態例のデータ収録装置１は、ＣＰＵ１６、ワークメモリ１７、及び画素により構成される表示画面５を備えるディスプレイ装置６を有する。そして、Ａ／Ｄコンバータ２５又は画像データ入力インターフェース（Ｉ／Ｆ）３から出力されたデジタルデータは、制御装置（ＣＰＵ）１６と記憶装置（ワークメモリ）１７によって処理されて、ディスプレイ装置６に表示される。
【００１９】
本実施形態例のデータ収録装置１は、タッチパネル、マウス、キーボード等のユーザインターフェース１０によって操作される。また、本実施形態例のデータ収録装置１は、データを長時間記憶することができるＨＤ等の記憶装置１８を有している。
【００２０】
赤外画像カメラ２７によって撮像されたデータは、ディスプレイ装置６において、熱画像として表示され、画面内の温度分布を示すデータとされる。すなわち、本実施形態例のデータ収録装置１により、画面内の温度分布を非接触で計測することが可能となる。また、本実施形態例のデータ収録装置１において、可視画像カメラ２８によって撮像されたデータは、ディスプレイ装置６において、可視画像として表示され、画面内の情報を示すことができる。また、本実施形態例のデータ収録装置１は、表示画面５を構成する画素の情報により、アラーム信号、トリガ信号等を発生する信号発生装置１５を有している。
【００２１】
図３は、本実施形態例に用いられるディスプレイ装置６の表示画面５に画像を表示する一例を示す図である。図３（ａ）では、データ収録装置１のディスプレイ装置６の表示画面５に、複数のビンの画像が表示されている。図３（ｂ）は、図３（ａ）内の円で囲まれた領域の画像表示を拡大して示す図である。図３（ｂ）に示されるように、ディスプレイ装置の表示画面に表示された画像は、画素毎の情報の集合である。したがって、本発明の実施形態のデータ収録装置では、表示画面５内の特定のアドレス（位置）に着目して、画素の輝度信号を時系列で検出する。
【００２２】
図３（ｃ）は、図３（ａ）の表示画面５の長方形の領域内の輝度信号を、明るさにより時系列で示す図である。図３（ａ）の表示画面内で長方形の枠により囲まれた領域では、表示された時間には黒色のビンが存在しないので、輝度信号の値が低下することはない。
【００２３】
図４は、ディスプレイ装置に表示される表示画面の指定領域内の輝度信号を連続的に検出する一例を示す図である。図４（ａ）は、ディスプレイ装置６の表示画面５に表示される連続する画像の１静止画像の１例を表示している。図４（ａ）では、ユーザインターフェース１０を使用して、表示画面５内にクロスカーソルの「＋」印を置くことより、指定点（監視点）が設定される。
【００２４】
クロスカーソルの「＋」印を置く代わりに、ユーザインターフェース１０を使用して、表示画面５内に、□（方形）等を描くことにより、指定領域が設定されるようにしても良い。指定点又は指定領域が設定されることにより、指定点又は指定領域と対応する画素の輝度信号が検出される。
【００２５】
図４（ｂ）は、図４（ａ）に表示される表示画面において「人」が、左側から右側に移動するとき、表示画面内に「＋」印で表示される指定点と対応する画素で検出される輝度信号の明暗の時間的な変化を示す。図４（ｂ）に示される輝度信号では、「人」が左側から右側に移動し、「＋」印で表示される指定点を通過するときに、輝度信号の明暗が大きく変化する。本発明の実施形態例のデータ収録装置では、指定点での輝度の明暗の変化を検出することにより、「人」の通過を検出するようにしている。図４（ｂ）に示す例では、予め輝度信号の上限の下限を設定しておき、検出した軌道信号がこの設定値を超えたとき、アラーム等の警告を発するようにしている。
【００２６】
図５は、連続する画像データの監視点の輝度情報を検出する処理の１例を示すフローチャート図である。ディスプレイ装置の表示画面５に表示される画像は、フレーム毎に更新される。フレームレートは、例えば、３０フレーム／秒である。以下、図５に基づいて、連続する画像データの指定点又は指定領域と対応する画素の輝度情報を検出する処理の１例について説明する。
【００２７】
まず、ユーザインターフェースを使用して、表示画面内に指定範囲（又は指定点）を設定する（ステップＳ１）。指定範囲は、例えば、ユーザインターフェースを使用して、画面内に、例えば、□（方形）等を描くことにより設定される。範囲を指定する代わりに点を指定する場合には、クロスカーソルを用いて設定することができる。次に、指定範囲（点）と対応する画素について、輝度信号の情報を抽出する（ステップＳ２）。また、指定範囲（点）の輝度信号の最大値、最小値、平均値を抽出する（ステップＳ３）。さらに、抽出された輝度信号の情報に関するデータ、画像データ、及び測定データ（電圧、歪量等の値）を、時系列に記憶装置１３（図２参照）に保存する（ステップＳ４）。
【００２８】
次に、輝度信号の所定の上限値及び／又は下限値と、抽出された輝度情報に関するデータとを比較する（ステップＳ５）。そして、輝度信号の所定の上限値及び／又は下限値を超えるか否かを判定し（ステップＳ６）、判定結果に応じて信号を出力する（ステップＳ７）。例えば、判定結果に応じてアラーム信号、リレー信号、トリガ信号を発生して出力する。また、判定結果に応じて、コメントを表示したり、あるいは、メールを発信するようにしても良い（ステップＳ７）。次に、必要に応じて、アラーム発生時の画像データ、測定データを出力する（ステップＳ８）。
【００２９】
以上、本発明の実施形態例について説明したが、本発明は特許請求の範囲に記載した本発明の要旨を逸脱しない限りにおいて、種々の変形例、応用例を含むことは言うまでもない。
【図面の簡単な説明】
【００３０】
【図１】本発明の実施形態に係るデータ収録装置示した概念図である。
【図２】本発明の実施形態に係るデータ収録装置の具体的構成を示すブロック図である。
【図３】本発明の実施形態に係るデータ収録装置のディスプレイ装置の表示画面に画像を表示する一例を示す図である。
【図４】本発明の実施形態に係るデータ収録装置のディスプレイ装置の表示画面に指定される指定点と対応する画素の輝度情報を連続的に検出する一例を示す図である。
【図５】表示画面に連続して表示される画像の指定領域と対応する画素の輝度情報を検出する処理を示すフローチャートの１例を示す図である。
【符号の説明】
【００３１】
１…データ収録装置、２…測定データ入力インターフェース（Ｉ／Ｆ）、３…画像データ入力インターフェース（Ｉ／Ｆ）、５…表示画面、６…ディスプレイ装置、８…制御手段、１０…ユーザインターフェース、１１…表示画面指定手段、１２…信号処理手段、１３…記憶手段、１４…判定手段、１５…信号発生手段、１６…中央処理装置（ＣＰＵ）、１７…記憶装置（ワークメモリ）、１８…記憶装置（ＨＤ等）、１９…プリンタ、２３…センサ、２４…増幅器（アンプ）、２５…Ａ／Ｄコンバータ、２７…赤外画像カメラ、２８…可視画像カメラ
【図１】
2010147914.tif 000003
【図２】
2010147914.tif 000004
【図３】
2010147914.tif 000005
【図４】
2010147914.tif 000006
【図５】
2010147914.tif 000007